(57)【特許請求の範囲】
【請求項１】
目地部を介して設けられた左右の建物の目地部側の一方の壁面に目地部のほぼ半分を覆う一方の目地プレートを取付けることができるように所定間隔で先端部が外方へだけ回動可能に取付けられた、少なくとも先端部が三角形状の複数個の一方の回転ブラケットと、この複数個の一方の回転ブラケットに取付けられた、前記目地部のほぼ半分を覆う一方の目地プレートと、前記複数個の一方の回転ブラケットと対向する他方の壁面に、該一方の回転ブラケットの先端部を支持する支持凹部が先端部に形成され、先端部が外方へだけ回動可能に取付けられた複数個の他方の回転ブラケットと、この複数個の他方の回転ブラケットに支持凹部も覆うように取付けられた、前記目地部のほぼ半分を覆う他方の目地プレートと、この他方の目地プレートあるいは前記他方の回転ブラケットの先端部に一端部が取付けられ、他端部が前記一方の壁面に固定あるいはガイドリングを介して取付けられた他方の目地プレート付勢機構と、前記一方の目地プレートあるいは前記一方の回転ブラケットの先端部に一端部が取付けられ、他端部が前記他方の壁面に固定あるいはガイドリングを介して取付けられた一方の目地プレート付勢機構とを備えることを特徴とする壁用目地装置。
【請求項２】
目地部を介して設けられた左右の建物の目地部側の一方の壁面に目地部のほぼ半分を覆う一方の目地プレートを取付けることができるように所定間隔で先端部が外方へだけ回動可能に取付けられた、少なくとも先端部が三角形状の複数個の一方の回転ブラケットと、この複数個の一方の回転ブラケットに取付けられた、前記目地部のほぼ半分を覆う一方の目地プレートと、前記複数個の一方の回転ブラケットと対向する他方の壁面に、該一方の回転ブラケットの先端部を支持する支持凹部が先端部に形成され、先端部が外方へだけ回動可能に取付けられた複数個の他方の回転ブラケットと、この複数個の他方の回転ブラケットに支持凹部も覆うように取付けられた、前記目地部のほぼ半分を覆う他方の目地プレートと、この他方の目地プレートあるいは前記他方の回転ブラケットの先端部に一端部が取付けられ、他端部が前記一方の壁面に固定あるいはガイドリングを介して取付けられた他方の目地プレート付勢機構と、前記一方の目地プレートあるいは前記一方の回転ブラケットの先端部に一端部が取付けられ、他端部が前記他方の壁面に固定あるいはガイドリングを介して取付けられた一方の目地プレート付勢機構と、前記目地部が狭くなって前記他方の目地プレート付勢機構、一方の目地プレート付勢機構の付勢力が弱くなると前記一方の回転ブラケット、他方の回転ブラケットの先端部を外方に回動させる用に取付けられた回転ブラケット回動機構とを備えることを特徴とする壁用目地装置。
【発明の詳細な説明】
【０００１】
【発明の属する技術分野】
本発明は目地部を介して設けられた左右の建物の壁面間の目地部を回動可能に覆う壁用目地装置に関する。
【０００２】
【従来の技術】
従来、左右の建物の壁面間の目地部を壁面間で覆う壁用目地装置は、少なくとも３枚以上の目地プレートを重なり合うように支持する支持金具を用いて取付けている。
【０００３】
【発明が解決しようとする課題】
従来の少なくとも３枚以上の目地プレートを用いる壁用目地装置は、３枚以上の目地プレートを用いるため構造が複雑で、コスト高になるという欠点があるとともに、３枚以上の目地プレートによって目地部の幅寸法のほぼ半分以下の移動量の吸収しかできず、移動量を大きく設定する所には使用できないという欠点があった。
【０００４】
本発明は以上のような従来の欠点に鑑み、構造が簡単で、ほぼ目地部の幅寸法分の移動量の吸収が可能な壁用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた左右の建物の目地部側の一方の壁面に目地部のほぼ半分を覆う一方の目地プレートを取付けることができるように所定間隔で先端部が外方へだけ回動可能に取付けられた、少なくとも先端部が三角形状の複数個の一方の回転ブラケットと、この複数個の一方の回転ブラケットに取付けられた、前記目地部のほぼ半分を覆う一方の目地プレートと、前記複数個の一方の回転ブラケットと対向する他方の壁面に、該一方の回転ブラケットの先端部を支持する支持凹部が先端部に形成され、先端部が外方へだけ回動可能に取付けられた複数個の他方の回転ブラケットと、この複数個の他方の回転ブラケットに支持凹部も覆うように取付けられた、前記目地部のほぼ半分を覆う他方の目地プレートと、この他方の目地プレートあるいは前記他方の回転ブラケットの先端部に一端部が取付けられ、他端部が前記一方の壁面に固定あるいはガイドリングを介して取付けられた他方の目地プレート付勢機構と、前記一方の目地プレートあるいは前記一方の回転ブラケットの先端部に一端部が取付けられ、他端部が前記他方の壁面に固定あるいはガイドリングを介して取付けられた一方の目地プレート付勢機構とで壁用目地装置を構成している。
【０００７】
【発明の実施の形態】
以下、図面に示す実施の形態により、本発明を詳細に説明する。
【０００８】
図１ないし図１２に示す本発明の第１の実施の形態において、１は目地部２を介して設けられた左右の建物３、３の目地部側の壁面３ａ、３ａ間の目地部２を目地部２が狭くなると観音開き状態で開放する本発明の壁用目地装置で、この壁用目地装置１は前記一方の壁面３ａに目地部２のほぼ半分を覆う一方の目地プレートを取付けることができるように所定間隔で先端部がわずか外方に位置する外方へだけ回転可能に取付けられたほぼ三角形状の複数個の一方の回転ブラケット４と、この複数個の一方の回転ブラケット４に複数本のビス５等によって固定的に取付けられた前記目地部のほぼ半分を覆う一方の目地プレート６と、前記複数個の一方の回転ブラケット４と対向する前記他方の壁面３ａに、該一方の回転ブラケット４の先端部を支持する支持凹部７が先端部に形成され、先端部がわずか外方に位置する外方へだけ回転可能に取付けられたほぼ三角形状の複数個の他方の回転ブラケット８と、この複数個の他方の回転ブラケット８に支持凹部７も覆うように複数本のビス５等によって固定的に取付けられた、前記目地部のほぼ半分を覆う他方の目地プレート９と、この他方の目地プレート９あるいは前記他方の回転ブラケット８の先端部、本発明の実施の形態では他方の回転ブラケット８の先端部に一端部が取付けられ、他端部が前記一方の壁面３ａにガイドリング１０を介して固定されたワイヤー１１にスプリング１２を介装した他方の目地プレート付勢機構１３と、前記一方の目地プレート６あるいは前記一方の回転ブラケット４の先端部、本発明の実施の形態では一方の回転ブラケット４の先端部に一端部が取付けられ、他端部が前記他方の壁面３ａにガイドリング１０を介して固定されたワイヤー１１にスプリング１２を介装した一方の目地プレート付勢機構１４とで構成されている。
【０００９】
前記複数個の一方の回転ブラケット４は図５に示すように、直角三角形状の一方の回転ブラケット本体１５と、この一方の回転ブラケット本体１５の各辺より下方へほぼ直角に折り曲げられた補強用側面板１６、１７、１８と、前記一方の回転ブラケット本体１５の直角面部に形成した切欠部１９と、この切欠部１９内に一端部が入り込み、前記一方の回転ブラケット本体１５に枢支ピン２０で回動可能に取付けられ、直角に折り曲げられた他端部が一方の壁面３ａにビス２１等によって固定される取付け金具２２とで構成されている。
【００１０】
前記一方の目地プレート６は図６に示すように、前記複数個の一方の回転ブラケット４の補強用側面板１６に複数本のビス５等によって固定される板状の一方の目地プレート本体２３と、この一方の目地プレート本体２３の先端部に鋭角に折り曲げ形成されたガイド片２４とで構成されている。
【００１１】
前記複数個の他方の回転ブラケット８は図７に示すように、先端部に支持凹部７が形成された、直角三角形状の他方の移転ブラケット本体２５と、この他方の回転ブラケット本体２５の各辺より下方へほぼ直角に折り曲げられた補強用側面板２６、２７、２８と、前記他方の回転ブラケット本体２５の直角面部に形成した切欠部２９と、この切欠部２９内に一端部が入り込み、前記他方の回転ブラケット本体２５に枢支ピン２０で回動可能に取付けられ、直角に折り曲げられた他端部が他方の壁面３ａにビス２１等によって固定される取付け金具３０とで構成されている。
【００１２】
前記他方の目地プレート９は図８に示すように、前記複数個の他方の回転ブラケット８の補強用側面板２６に複数本のビス５等によって固定される板状の他方の目地プレート本体３１と、この他方の目地プレート本体３１の先端部に一体形成された、前記支持凹部７に支持される支持板３２とで構成されている。
【００１３】
上記構成の壁用目地装置１は、平常時は一方の目地プレート６と他方の目地プレート９は、一方の目地プレート付勢機構１４のスプリング１２と他方の目地プレート付勢機構１３のスプリング１２との付勢力により、他方の目地プレート９の先端部の支持板３２に一方の目地プレート６の先端部が支持された状態で、図２に示すように目地部２を覆った状態を保っている。
この時、一方の目地プレート６と他方の目地プレート９が取付けられている複数個の一方の回転ブラケット４と他方の回転ブラケット８は内側へ回動不能状態になっているので、外側からの押し圧力が加わっても、目地部を覆った状態をそのまま保つ。
【００１４】
地震等によって目地部２が広くなるように左右の建物３、３が揺れ動いた場合には、図９に示すように一方の目地プレート６と他方の目地プレート９が閉じた状態を、一方の目地プレート付勢機構１４と他方の目地プレート付勢機構１３のスプリング１２、１２の付勢力で保った状態で離間した状態となり、その揺れ動きを吸収し、揺れ動きが停止すると、元の状態に自動的に戻る。
【００１５】
地震等によって目地部２が狭くなるように左右の建物３、３が揺れ動いた場合には、図１０に示すように一方の目地プレート６の先端部と他方の目地プレート９の先端部とが押し圧されるため、一方の目地プレート６および他方の目地プレート９の先端部が一方の目地プレート付勢機構１４と他方の目地プレート付勢機構１３のスプリング１２、１２の付勢力に抗して外方へ回動してその揺れ動きを吸収するとともに、揺れ動きが停止すると、元の状態に自動的に戻る。
【００１６】
地震等によって左右の建物３、３が異なる前後方向に揺れ動いた場合には、図１１に示すように一方の目地プレート６と他方の目地プレート９とが閉状態で移動したり、図１２に示すように一方の目地プレート６の先端部が他方の目地プレート９の先端部を回動して乗り越えて吸収するとともに、揺れ動きが停止すると一方の目地プレート６の先端部は他方の目地プレート付勢機構１３のワイヤー１１にガイドされて元の状態に自動的に戻る。
【００１７】
【発明の異なる実施の形態】
次に、図１３ないし図２４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１８】
図１３ないし図１５に示す本発明の第２の実施の形態において、前記本発明の第１の実施の形態と主に異なる点は、ワイヤー１１、１１の他端部を直接一方の壁面３ａと他方の壁面３ａに取付けた一方の目地プレート付勢機構１４Ａと他方の目地プレート付勢機構１３Ａを用いた点で、このように構成した壁用目地装置１Ａにしても、前記本発明の第１の実施の形態と同様な作用効果が得られる。
【００１９】
図１６ないし図１８に示す本発明の第３の実施の形態において、前記本発明の第１の実施の形態と主に異なる点は、ワイヤー１１、１１の他端部に壁面３ａ、３ａに取付けられたガイド筒３３、３３内を上下移動に重り３４、３４を取付けた一方の目地プレート付勢機構１４Ｂと他方の目地プレート付勢機構１３Ｂを用いた点で、このように構成した壁用目地装置１Ｂにしても、前記本発明の第１の実施の形態と同様な作用効果が得られる。
【００２０】
図１９ないし図２１に示す本発明の第４の実施の形態において、前記本発明の第１の実施の形態と主に異なる点は、複数個の一方の回転ブラケット４と複数個の他方の回転ブラケット８を、一方の目地プレート付勢機構１４や他方の目地プレート付勢機構１３の付勢力が弱くなる、目地部２が狭くなる場合に先端部を外方へ回動するように付勢する一方と他方の回転ブラケット本体１５、２５の後端部の補強用側面板１７、２７内に固定されたスプリング収納筒３５と、このスプリング収納筒３５内に収納されたスプリング３６と、このスプリング３６によって補強用側面板１７、２７に形成された透孔３７、３７より突出して壁面３ａ、３ａを押し圧する押し圧杆３８、３８とからなる回転ブラケット回動機構３９、３９を用いた点で、このような回転ブラケット回動機構３９、３９を用いて構成した壁用目地装置１Ｃにしても、前記本発明の第１の実施の形態と同様な作用効果が得られるとともに、一方の回転ブラケット４と他方の回転ブラケット８の目地プレート取付面を壁面３ａ、３ａに対して直角に設定しても、目地部が狭くなる場合には、先端部が外方へ突出するように確実に回動させることができる。
【００２１】
図２２ないし図２４に示す本発明の第５の実施の形態において、前記本発明の第４の実施の形態と主に異なる点は、後端部が長方形状で、先端部が三角形状となる複数個の一方の回転ブラケット４Ａと、先端部に支持凹部７を形成した長方形状の複数個の他方の回転ブラケット８Ａを用いた点で、このように形成された一方の回転ブラケット４Ａと他方の回転ブラケット８Ａを用いて構成した壁用目地装置１Ｄにしても、前記本発明の第４の実施の形態と同様な作用効果が得られる。
【００２２】
なお、前記本発明の各実施の形態では他方の目地プレート付勢機構１３と、一方の目地プレート付勢機構１４を他方の回転ブラケット８と一方の回転ブラケット４の全てに取り付けるものに付いて説明したが、本発明はこれに限らず、所定位置の他方の回転ブラケット８と一方の回転ブラケット４に他方の目地プレート付勢機構１３と、一方の目地プレート付勢機構１４を取り付けても良い。
また、他方の目地プレート９の先端部、一方の目地プレート６の先端部に他方の目地プレート付勢機構１３と、一方の目地プレート付勢機構１４をを取り付けても良い。
【００２３】
【発明の効果】
以上の説明から明らかなように、本発明にあっては次に列挙する効果が得られる。
【００２４】
（１）目地部を介して設けられた左右の建物の目地部側の一方の壁面に目地部のほぼ半分を覆う一方の目地プレートを取付けることができるように所定間隔で先端部が外方へだけ回動可能に取付けられた、少なくとも先端部が三角形状の複数個の一方の回転ブラケットと、この複数個の一方の回転ブラケットに取付けられた、前記目地部のほぼ半分を覆う一方の目地プレートと、前記複数個の一方の回転ブラケットと対向する他方の壁面に、該一方の回転ブラケットの先端部を支持する支持凹部が先端部に形成され、先端部が外方へだけ回動可能に取付けられた複数個の他方の回転ブラケットと、この複数個の他方の回転ブラケットに支持凹部も覆うように取付けられた、前記目地部のほぼ半分を覆う他方の目地プレートと、この他方の目地プレートあるいは前記他方の回転ブラケットの先端部に一端部が取付けられ、他端部が前記一方の壁面に固定あるいはガイドリングを介して取付けられた他方の目地プレート付勢機構と、前記一方の目地プレートあるいは前記一方の回転ブラケットの先端部に一端部が取付けられ、他端部が前記他方の壁面に固定あるいはガイドリングを介して取付けられた一方の目地プレート付勢機構とで構成されているので、目地部を一方の目地プレートと他方の目地プレートとの２枚の観音開きする目地プレートで目地部を覆うことができる。
したがって、目地プレートの枚数を減少できるとともに、観音開きのため、ほぼ目地部の幅寸法分だけ狭くなる揺れ動きを吸収することができる。
【００２５】
（２）前記（１）によって、先端部が外方へだけ回動する一方の回転ブラケットと他方の回転ブラケットを一方の目地プレート付勢機構と他方の目地プレート付勢機構とによって、回動しない方向に付勢することができる。
したがって、一方の目地プレートと他方の目地プレートに風等の押し圧力が加わっても、回動したり、バタ付いたりするのを確実に防止することができる。
【００２６】
（３）前記（１）によって、左右の建物が地震等によって目地部が狭くなった場合には観音開き状に回動させてその揺れ動きを吸収し、広くなった場合には先端部が離れるように移動してその揺れ動きを吸収し、異なる前後方向に揺れ動いた場合には先端部が離れたり、一方が回動して離れたりしてその揺れ動きを吸収することができ、揺れ動きが停止すると自動的に元の状態に戻ったり、一方の目地プレート付勢機構と他方の目地プレート付勢機構のガイドにより自動的に元の状態に戻すことができる。
【００２７】
（４）前記（１）によって、構造が簡単で、容易に設置することができるとともに、安価に製造することができる。
【００２８】
（５）請求項２も前記（１）〜（４）と同様な効果が得られる。
【図面の簡単な説明】
【図１】本発明の第１の実施の形態の正面図。
【図２】図１の２−２線に沿う拡大断面図。
【図３】図１の３−３線に沿う断面図。
【図４】図１の４−４線に沿う断面図。
【図５】本発明の第１の実施の形態の一方の回転ブラケットの説明図。
【図６】本発明の第１の実施の形態の一方の目地プレートの説明図。
【図７】本発明の第１の実施の形態の他方の回転ブラケットの説明図。
【図８】本発明の第１の実施の形態の他方の目地プレートの説明図。
【図９】本発明の第１の実施の形態の目地部が広くなった動作説明図。
【図１０】本発明の第１の実施の形態の目地部が狭くなった動作説明図。
【図１１】本発明の第１の実施の形態の異なる前後方向の動作説明図。
【図１２】本発明の第１の実施の形態の異なる前後方向の動作説明図。
【図１３】本発明の第２の実施の形態の正面図。
【図１４】図１３の１４−１４線に沿う拡大断面図。
【図１５】本発明の第２の実施の形態の目地プレート付勢機構の設置説明図。
【図１６】本発明の第３の実施の形態の正面図。
【図１７】図１６の１７−１７線に沿う拡大断面図。
【図１８】本発明の第３の実施の形態の目地プレート付勢機構の設置説明図。
【図１９】本発明の第４の実施の形態の正面図。
【図２０】図１９の２０−２０線に沿う拡大断面図。
【図２１】本発明の第４の実施の形態の回転ブラケット回動機構の説明図。
【図２２】本発明の第５の実施の形態の正面図。
【図２３】図２２の２３−２３線に沿う拡大断面図。
【図２４】本発明の第５の実施の形態の回転ブラケットの説明図。
【符号の説明】
１、１Ａ、１Ｂ、１Ｃ、１Ｄ：壁用目地装置、
２：目地部、            ３：建物、
３ａ：壁面、            ４、４Ａ：一方の回転ブラケット、
５：ビス
６：一方の目地プレート、
７：支持凹部、          ８、８Ａ：他方の回転ブラケット、
９：他方の目地プレート、１０：ガイドリング、
１１：ワイヤー、        １２：スプリング、
１３、１３Ａ、１３Ｂ：他方の目地プレート付勢機構、
１４、１４Ａ、１４Ｂ：一方の目地プレート付勢機構、
１５：一方の回転ブラケット本体、
１６、１７、１８：補強用側面板、
１９：切欠部、          ２０：枢支ピン、
２１：ビス、            ２２：取付け金具、
２３：一方の目地プレート本体、
２４：ガイド片、        ２５：他方の回転ブラケット本体、
２６、２７、２８：補強用側面板、
２９：切欠部、          ３０：取付け金具、
３１：他方の目地プレート本体、
３２：支持板、          ３３：ガイド筒、
３４：重り、            ３５：スプリング収納筒、
３６：スプリング、      ３７：透孔、
３８：押し圧杆、
３９：回転ブラケット回動機構。
【図１】
0003718454.tif 000002
【図２】
0003718454.tif 000003
【図３】
0003718454.tif 000004
【図４】
0003718454.tif 000005
【図５】
0003718454.tif 000006
【図６】
0003718454.tif 000007
【図７】
0003718454.tif 000008
【図８】
0003718454.tif 000009
【図９】
0003718454.tif 000010
【図１０】
0003718454.tif 000011
【図１１】
0003718454.tif 000012
【図１２】
0003718454.tif 000013
【図１３】
0003718454.tif 000014
【図１４】
0003718454.tif 000015
【図１５】
0003718454.tif 000016
【図１６】
0003718454.tif 000017
【図１７】
0003718454.tif 000018
【図１８】
0003718454.tif 000019
【図１９】
0003718454.tif 000020
【図２０】
0003718454.tif 000021
【図２１】
0003718454.tif 000022
【図２２】
0003718454.tif 000023
【図２３】
0003718454.tif 000024
【図２４】
0003718454.tif 000025